(57)【要約】      （修正有）【課題】サイドロックスリーブ組立体を提供する。【解決手段】サイドロックスリーブ組立体１は、第一管１１と、スリーブ壁を有し、一部が第一結合部１２１とし、前記第一結合部が第一収容部１２１１を有すると共に、前記第一結合部における、前記第一収容部の中心部と前記スリーブ壁の外周の間の所定箇所に開孔が設けられ、前記第一管が前記第一収容部に収容されるスリーブ１２と、一側端が穿入端とし、他側端が操作端とし、直径が前記操作端から前記穿入端に向けて小さくなり、穿入端が前記開孔に旋回しつつ穿入しており、前記スリーブと前記第一管の間に当接する螺合部材１３と、を有し、前記螺合部材の穿入端が前記開孔に旋回しつつ穿入する場合、前記螺合部材は前記第一管に当接しており、前記第一管の管壁に前記螺合部材の表面形状に配合する嵌合部ネジ山が形成される。【選択図】図１
0003215972.tif 000002
【実用新案登録請求の範囲】
【請求項１】
第一管と、
スリーブ壁を有し、一部が第一結合部とし、前記第一結合部が第一収容部を有すると共に、前記第一結合部における、前記第一収容部の中心部と前記スリーブ壁の外周の間の所定箇所に開孔が設けられ、前記第一管が前記第一収容部に収容されるスリーブと、
一側端が穿入端とし、他側端が操作端とし、直径が前記操作端から前記穿入端に向けて小さくなり、穿入端が前記開孔に旋回しつつ穿入しており、前記スリーブと前記第一管の間に当接する螺合部材と、を有し、
前記螺合部材の穿入端が前記開孔に旋回しつつ穿入する場合、前記螺合部材は前記第一管に当接しており、前記第一管の管壁に前記螺合部材の表面形状に配合する嵌合部ネジ山が形成される
ことを特徴とするサイドロックスリーブ組立体。
【請求項２】
前記スリーブの他の一部は第二結合部とすることを特徴とする請求項１に記載のサイドロックスリーブ組立体。
【請求項３】
前記第二結合部は連結ベースであり、前記連結ベースの台面に結合ネジが突出されることを特徴とする請求項２に記載のサイドロックスリーブ組立体。
【請求項４】
前記第二結合部は更に第二収容部を有すると共に、直径が前記第一管より小さい第二管は前記第二収容部と前記第一管に穿入する上、前記第二管は前記第二収容部と前記第一管に摺動可能であり、前記第二結合部に固定部材が設置され、前記固定部材は、前記第二管と前記第二結合部並びに前記第二管と前記第一管の相対位置を固定可能である
ことを特徴とする請求項２に記載のサイドロックスリーブ組立体。
【請求項５】
前記スリーブの周縁に少なくとも３つの横方向連結部が凸設され、各横方向連結部にそれぞれ少なくとも１つの横方向支持部材が軸設されることを特徴とする請求項１に記載のサイドロックスリーブ組立体。
【請求項６】
前記サイドロックスリーブ組立体は少なくとも２つの第一管を有し、前記スリーブは少なくとも２つの第一結合部を有すると共に、各第一結合部における、各第一収容部の中心部と各スリーブ壁の外周の間の適宜箇所に開孔が設けられ、各第一管が各第一収容部に収容される上、少なくとも２つの螺合部材がそれぞれ各開孔に旋回しつつ穿入し、各螺合部材はそれぞれ前記スリーブと各第一管の間に当接しており、各第一管に各螺合部材の表面形状に配合する嵌合部ネジ山がそれぞれ形成される
ことを特徴とする請求項１に記載のサイドロックスリーブ組立体。 
【考案の詳細な説明】
【技術分野】
【０００１】
本考案は、スリーブが管本体に固定されるものであって、スリーブ組立体に関するものである。特に、本考案はサイドロックの構造を有するスリーブ組立体に関するものである。
【背景技術】
【０００２】
公知のスリーブ組立体は管本体とスリーブを有するものであり、多種多様の固定タイプがある。最も知られている固定タイプは、螺合部材が直接にスリーブと管本体の管壁を穿通することで、スリーブと管本体の相対位置を固定するものであり、このような固定タイプは肉厚の管本体にしか適用せず、肉薄の管本体に運用される場合、スリーブと管本体の間に緩みが発生しやすくなってしまう。
【０００３】
現在、キャンプ用の持ち運び可能のテーブルと椅子、物置の棚、撮影用のスタンドは軽量化が主流であり、技術の日進月歩により、管本体は肉薄になりつつ頑丈となるものの、スリーブが管本体に固定されるタイプをそのまま運用することは好適ではないと思われる。公知の管本体は肉厚のものであるため、一般の螺合部材がスリーブと管壁に穿入することで固定できるものの、重量が重くなる上持ち運びにくくなる。このようなタイプが肉薄の管本体に運用される場合、螺合部材と管本体の接触面積が小さすぎるため、緩みが発生しやすくなってしまう。
【考案の概要】
【考案が解決しようとする課題】
【０００４】
上記のことに鑑み、本考案の目的は、螺合部材と管本体の間に形成される嵌合部ネジ山により、管本体と螺合部材の接触面積を増加すると共に、管本体とスリーブを密着しつつ固定する上、緩みが発生しにくいサイドロックスリーブ組立体を提供することを課題とする。
【課題を解決するための手段】
【０００５】
公知のスリーブ組立体構造は、螺合部材でスリーブと管本体を穿通するものであり、これは肉厚の管本体にしか適用せず、肉薄の管本体に運用される場合、螺合部材と管本体の接触面積が小さすぎるため、緩みが発生しやすくなってしまう。これに対して、本考案はサイドロックスリーブ組立体の構造を提供するものであって、第一管と、スリーブ壁を有し、一部が第一結合部とし、前記第一結合部が第一収容部を有すると共に、前記第一結合部における、前記第一収容部の中心部と前記スリーブ壁の外周の間の所定箇所に開孔が設けられ、前記第一管が前記第一収容部に収容されるスリーブと、一側端が穿入端とし、他側端が操作端とし、直径が前記操作端から前記穿入端に向けて小さくなり、穿入端が前記開孔に旋回しつつ穿入しており、前記スリーブと前記第一管の間に当接する螺合部材と、を有し、前記螺合部材の穿入端が前記開孔に旋回しつつ穿入する場合、前記螺合部材は前記第一管に当接しており、第一管の管壁に前記螺合部材の表面形状に配合する嵌合部ネジ山が形成されることを特徴とする。
【０００６】
本考案はこのような構造を介して、スリーブが第一管の所定位置に安定に固定され、外力による第一管での摺動又は回転が発生しにくくなる。また、本考案のスリーブの他の一部は第二結合部とすることができるため、異なる二つの好ましい実施例が存在する。第一の好ましい実施例において、前記第二結合部が連結ベースであり、前記連結ベースはカメラ雲台、撮影ランプ、又は撮影機材などに結合可能である。なお、他の運用も可能であり、例えば三脚の頂部における撮影機材の連結ベースに運用可能である。
【０００７】
第二の好ましい実施例において、前記第二結合部は更に第二収容部を有すると共に、直径がより小さい第二管は前記第二収容部と前記第一管に穿入する上、前記第二管は前記第二収容部と前記第一管に摺動可能であり、前記第二接合部に固定部材が設置され、前記固定部材は、前記第二管と前記第二結合部並びに前記第二管と前記第一管の相対位置を固定可能である。これにより、伸縮管構造が形成され、三脚の中段伸縮スリーブに運用されることができる。
【０００８】
また、本考案は更に第三の好ましい実施例を有する。この実施例において、前記スリーブの周縁に少なくとも３つの横方向連結部が凸設され、各横方向連結部に少なくとも１つの横方向支持部材が軸設される。これにより、三脚の中段管のベースに運用されることができる。
【０００９】
最後に、本考案は更に第四の好ましい実施例を有する。本考案のこの実施例において、スリーブは複数の第一収容部を有しており、これらを複数の第一管と結合することで棚として組み立てて運用することができる。なお、この実施例において、少なくとも２つの第一管を有し、前記スリーブは少なくとも２つの第一結合部を有すると共に、各第一結合部における、各第一収容部の中心部と各スリーブ壁の外周の間の適宜箇所に開孔が設けられ、各第一管が各第一収容部に収容される上、少なくとも２つの螺合部材がそれぞれ各開孔に旋回しつつ穿入し、各螺合部材はそれぞれ前記スリーブと各第一管の間に当接しており、各第一管に各螺合部材の表面形状に配合する嵌合部ネジ山がそれぞれ形成される。複数の本考案の組立体を介して棚を組み立てることができる上、他種類の部品と合せてちゃぶ台、ハンガー、置物棚などの家具を製作することができる。
【考案の効果】
【００１０】
本考案の提供するサイドロックスリーブ組立体は、前記第一管の管壁に前記螺合部材の表面形状に配合する嵌合部ネジ山が形成されるため、螺合部材と第一管、並びに螺合部材とスリーブの間ではより大きい接触嵌合面積となり、公知のスリーブ組立体を改良した。これにより、本考案の運用する第一管がより薄く、軽く、頑丈になると共に迅速に組み立てることができる上、公知のスリーブ組立体のように組み立ての際に孔穴を合せて螺入する必要がないため、組み立ての手間が省かれて大量生産には有利である。
【図面の簡単な説明】
【００１１】
【図１】本考案の実施例１の正面図である。
【図２】本考案の実施例１のＢ−Ｂ線断面図である。
【図３】本考案の実施例１のＡ−Ａ線断面図である。
【図４】本考案の実施例１における第一管の部分拡大図である。
【図５】本考案の実施例２の側面図である。
【図６】本考案の実施例２のＣ−Ｃ線断面図である。
【図７】本考案の実施例２のＤ−Ｄ線断面図である。
【図８】本考案の実施例２における第一管と第二管の部分拡大図である。
【図９】本考案の実施例３の立体図である。
【図１０】本考案の実施例１、２、３の実施図である。
【図１１】本考案の実施例４の分解図である。
【図１２】本考案の実施例４の立体図である。
【考案を実施するための形態】
【００１２】
当業者が本考案の目的、特徴、及び奏する効果を理解できるため、以下では具体実施例を介しつつ図面に合せて本考案を詳細に説明する。
【００１３】
図１、２、３を同時に参照されたい。図１は本考案の実施例１の立体図であり、図２は本考案の実施例１のＢ−Ｂ線断面図であり、図３は本考案の実施例１のＡ−Ａ線断面図である。これらではサイドロックスリーブ組立体１が開示されており、このサイドロックスリーブ組立体１は、第一管１１と、スリーブ壁を有し、一部が第一結合部１２１とし、前記第一結合部１２１が第一収容部１２１１を有すると共に、前記第一結合部１２１における、前記第一収容部１２１１の中心部と前記スリーブ壁の外周の間の所定箇所に開孔１２１２が設けられ、前記第一管１１が前記第一収容部１２１１に収容されるスリーブ１２と、一側端が穿入端１３１とし、他側端が操作端１３２とし、直径が前記操作端１３２から前記穿入端１３１に向けて小さくなり、穿入端１３１が前記開孔１２１２に旋回しつつ穿入しており、前記スリーブ１２と前記第一管１１の間に当接する螺合部材１３と、を有する。次に、図４を参照されたい。図４は本考案の実施例１におけるスリーブの部分拡大図であり、図４から知られるように、前記螺合部材１３の穿入端１３１が前記開孔１２１２に旋回しつつ穿入する場合、前記螺合部材１３は前記第一管１１に当接しており、前記第一管１１の管壁に前記螺合部材１３の表面形状に配合する嵌合部ネジ山１４が形成される。図２を再度参照されたい。本考案では、前記螺合部材１３の表面形状に配合する嵌合部ネジ山１４により前記螺合部材１３と前記第一管１１が密着されつつ固定される上、前記螺合部材１３が前記スリーブ１２と前記第一管１１の間に当接される。このような構造を介して、スリーブ１２は第一管１１の所定位置に安定に固定され、外力による第一管１１での摺動又は回転が発生しにくくなる。
【００１４】
第一実施例において、本考案のスリーブの他の一部は第二結合部１５とし、前記第二結合部１５は連結ベース１５１であり、前記連結ベース１５１の台面に結合ネジ１５１１が突出される。なお、第一実施例は三脚の頂部における撮影機材の連結ベースである。
【００１５】
図４は本考案の実施例１における第一管の部分拡大図である。 図４では、前記螺合部材１３が前記第一管１１に当接しており、前記第一管１１の管壁に前記螺合部材１３の表面形状に配合する嵌合部ネジ山１４が形成される、ことが開示されている。そして、スリーブ１２と螺合部材１３を除去すると、最初に螺合部材１３が第一管に螺入されて嵌合部ネジ山１４が形成されることが知られている。
【００１６】
次に、図５、６、７を同時に参照されたい。図５は本考案の実施例２の側面図であり、図６は本考案の実施例２のＣ−Ｃ線断面図であり、図７は本考案の実施例２のＤ−Ｄ線断面図である。前記第二結合部１５は更に第二収容部１５２を有すると共に、直径が第一管１１より小さい第二管１６は前記第二収容部１５２と前記第一管１１に穿入する上、前記第二管１６は前記第二収容部１５２と前記第一管１１に摺動可能であり、前記第二結合部１５に固定部材１７が設置され、前記固定部材１７は、前記第二管１６と前記第二結合部１５並びに前記第二管と前記第一管１１の相対位置を固定可能である。
【００１７】
図６を参照されたい。図６では、前記第二結合部１５に固定部材１７が設置され、前記固定部材１７は前記第二管１６と前記第二結合部１５並びに前記第二管と前記第一管１１の相対位置を固定可能である、ことが開示されている。
【００１８】
図７を参照されたい。図７では、前記第一結合部１２１における、前記第一収容部１２１１の中心部と前記スリーブ１２のスリーブ壁の外周の間の適宜箇所に開孔１２１２が設けられ、前記第一管１１が前記第一収容部１２１１に収容され、螺合部材１３が開孔１２１２から前記第一結合部１２１に穿入し、前記螺合部材１３が前記第一管１１と前記スリーブ１２を固定する、ことが開示されている。なお、第二実施例は三脚の中段伸縮スリーブである。
【００１９】
図８は本考案の実施例２における第一管と第二管の部分拡大図である。前記第二管１６は前記第一管１１に摺動可能であり、スリーブ１２と螺合部材１３を除去すると、最初に螺合部材１３が第一管に螺入されて嵌合部ネジ山１４が形成されることが知られている。
【００２０】
図９は本考案の実施例３の立体図である。前記スリーブの周縁に少なくとも３つの横方向連結部１２２が凸設され、各横方向連結部１２２に少なくとも１つの横方向支持部材１８が軸設される。このような構造は三脚の中段管のベースに運用されることができる。
【００２１】
図１０は本考案の実施例１、２、３の実施図である。これらの図面から知られるように、この三脚の頂部における撮影機材の連結ベースは実施例１のものを採用し、中段伸縮スリーブは実施例２のものを採用し、中段管のベースは実施例３のものを採用している。
【００２２】
図１１、１２を同時に参照されたい。図１１は本考案の実施例４の分解図であり、図１２は本考案の実施例４の立体図である。前記サイドロックスリーブ組立体１は少なくとも２つの第一管１１を有し、前記スリーブ１２は少なくとも２つの第一結合部１２１を有すると共に、各第一結合部１２１における、各第一収容部１２１１の中心部と各スリーブ１２のスリーブ壁の外周の間の適宜箇所に開孔１２１２が設けられ、各第一管１１が各第一収容部１２１１に収容されると共に、少なくとも２つの螺合部材１３がそれぞれ各開孔１２１２に旋回しつつ穿入し、各螺合部材１３はそれぞれ前記スリーブ１２と各第一管１１の間に当接しており、各第一管１１に各螺合部材１３の表面形状に配合する嵌合部ネジ山１４がそれぞれ形成される。なお、実施例４は家具の棚又はちゃぶ台に運用されることができる。図１１と図１２はそのちゃぶ台を示す図である。
【００２３】
上記の図１乃至図１２から知られるように、サイドロックスリーブ組立体が産業上の利用可能性を有するものであることは言うまでもないものの、上記内容はサイドロックスリーブ組立体の好ましい実施例を説明するものに過ぎず、当業者はこれに基づき他の種々の改良を行うことができる。しかし、これらの改良は当然ながら本考案の精神と登録請求の範囲に含まれる。
【符号の説明】
【００２４】
１  サイドロックスリーブ組立体
１１  第一管
１２  スリーブ
１２１  第一結合部
１２１１  第一収容部
１２１２  開孔
１３  螺合部材
１３１  穿入端
１３２  操作端
１４  嵌合部ネジ山
１５  第二結合部
１５１  連結ベース
１５１１  結合ネジ
１５２  第二収容部
１６  第二管
１７  固定部材
１２２  横方向連結部
１８  横方向支持部材
【図１】
0003215972.tif 000003
【図２】
0003215972.tif 000004
【図３】
0003215972.tif 000005
【図４】
0003215972.tif 000006
【図５】
0003215972.tif 000007
【図６】
0003215972.tif 000008
【図７】
0003215972.tif 000009
【図８】
0003215972.tif 000010
【図９】
0003215972.tif 000011
【図１０】
0003215972.tif 000012
【図１１】
0003215972.tif 000013
【図１２】
0003215972.tif 000014